(57)【要約】【課題】世の中で注目や関心を集めていることに関連した広告を提示するようにする。【解決手段】情報検索のためのキーワードを取得するキーワード入力部１０１と、キーワード入力部１０１で取得されたキーワードの集計処理を行なうキーワード集計処理部１０２と、広告情報を出力する広告情報出力部１０３と、キーワード集計処理部１０２での集計処理の結果に基づいて広告情報を取得して、広告情報出力部１０３へ渡す広告情報取得部１０４とを備えた広告情報出力装置を提供する。このような広告情報出力装置により、キーワード集計処理部でのキーワードの集計処理の時間帯を変化させることにより、突発的に世の中で注目を集めることとなった事柄に関係する広告が提示できるようになる。【選択図】　図１
2004013417.tif 000002
【特許請求の範囲】
【請求項１】
情報検索のためのキーワードを取得するキーワード入力部と、
キーワード入力部に入力されたキーワードを集計処理するキーワード集計処理部と、
広告情報を出力するための広告情報出力部と、
キーワード集計処理部での集計結果に基づいて広告情報出力部で出力する広告情報を取得し、広告情報出力部に渡す広告情報取得部と、
を備える広告情報出力装置。
【請求項２】
前記広告情報取得部は、広告情報を出力するタイミングを定める広告出力スケジュール手段を備え、
キーワード集計処理部は、キーワード入力部に入力されたキーワードを前記広告出力スケジュール手段で定められた広告の出力のタイミングに基づいて集計処理する請求項１に記載の広告情報出力装置。
【請求項３】
広告情報とキーワードとを関連付けて蓄積する広告情報蓄積部を備え、
前記広告情報取得部は、前記広告情報蓄積部から広告情報を取得する請求項１に記載の広告情報出力装置。
【請求項４】
前記広告情報取得部は、前記キーワード集計処理部での集計結果のうち、最も出現頻度の高いキーワード又は最も出現頻度の高いキーワードと類似するキーワードに関連付けられた広告情報を取得する請求項３に記載の広告情報出力装置。
【請求項５】
前記キーワード入力部は、ネットワーク上の複数の端末装置が情報検索に利用したキーワードを収集して入力する請求項１に記載の広告情報出力装置。
【請求項６】
広告情報取得部は、情報検索が行われるごとに広告情報を取得し、前記広告情報出力部が出力する請求項１に記載の広告情報出力装置。
【請求項７】
前記広告情報取得部は、情報検索が行われるごとに広告情報を複数取得し、前記広告情報出力部は、前記広告情報取得部が取得した複数の広告情報の出力を広告情報出力装置の利用者に促すための出力操作要素を表示するための要素情報を出力するための手段である要素情報出力手段を備える請求項１に記載の広告情報出力装置。
【請求項８】
前記広告情報取得部は、前記キーワード集計処理部で集計されたキーワードのうち、出現頻度順にキーワードのリストを作り前記リストの出現頻度の高い方から順に複数のキーワードを選択し、選択された複数のキーワードに基づいて複数の広告情報を取得する請求項７に記載の広告情報出力装置。
【請求項９】
情報検索のためのキーワードを取得するキーワード入力ステップと、
キーワード入力ステップにて入力されたキーワードを集計処理するキーワード集計処理ステップと、
広告情報を出力するための広告情報出力ステップと、
キーワード集計処理ステップでの集計結果に基づいて広告情報出力ステップにて出力する広告情報を取得する広告情報取得ステップと、
を含む広告情報出力方法。
【発明の詳細な説明】
【０００１】
【発明の属する技術分野】
本発明は、情報検索のキーワードを集計し、その集計の結果に基づいて広告情報を出力する広告情報出力装置に関する。
【０００２】
【従来の技術】
従来、インターネットの検索エンジンにて、情報検索のキーワードを集計し、その集計の結果に基づいてランキングを公表したり分析したりすることが行なわれている。これにより、世間の人の流行や何を求めているかを知ることができる。
【０００３】
また、インターネットの検索エンジンにおいて、情報検索を行なうためにキーワードを入力すると、そのキーワードに関連する広告が検索結果とともに表示されたり、広告主のウェブページへのリンクが検索結果の一覧リストの上位に現れたりすることが行なわれている。
【０００４】
【発明が解決しようとする課題】
インターネットの検索エンジンにおける情報検索のキーワードの集計は、通常、一週間程度を単位にして行なわれ、情報が氾濫し、いわゆるドッグイヤーで変化が起こる現代においては、長い期間が単位となっている。このため、例えば、テレビ番組にて、ある商品が紹介され突発的かつ短時間の間にその商品に関する検索が多くなったとしても、長い期間を単位にして集計が行なわれると、そのような突発的に増加したことを検知することが困難である。結果として、流行の始まりなどを知ることが困難となる。
【０００５】
また、情報検索の集計結果の表示と情報検索による広告の表示とは異なるウェブページによって行なわれているため、利用者が情報検索の結果の一覧リストの上位に現れるキーワードを知っても、直ちに、それらのキーワードに関する広告を見ることができない。
【０００６】
【課題を解決するための手段】
これらの課題を解決するために、本発明は、情報検索のためのキーワードを取得し、そのキーワードを集計処理し、集計結果に基づいて広告情報を取得し、出力する広告情報出力装置を提供する。
【０００７】
これにより、情報検索の利用者は、情報検索の結果の一覧リストの上位に現れるキーワードに関する広告を情報検索時に知ることが可能となる。また、キーワードの集計処理の時間を数時間ずつなどに区切ることにより、突発的に特定のキーワードによる情報検索の件数が多くなっても、それに対応した広告を表示することが可能となる。
【０００８】
【発明の実施の形態】
以下、本発明の実施の形態について、図を用いて説明する。なお、本発明は、これら実施の形態に何ら限定されるものではなく、その要旨を逸脱しない範囲において、種々なる態様で実施し得る。
【０００９】
（実施形態１）
本発明の実施形態１の広告情報出力装置においては、情報検索のためのキーワードを取得し、そのキーワードを集計処理し、その集計処理の結果に応じて広告情報を取得して出力することが行なわれる。これにより、本発明の広告情報出力装置の利用者に対してキーワードの集計処理の結果に応じた広告が出力され、利用者は注目を集めている事柄に関する広告を直ちに見ることができる。
【００１０】
（実施形態１：構成）
図１は、本実施形態における広告情報出力装置の機能ブロック図を例示する。広告情報出力装置１００は、キーワード入力部１０１と、キーワード集計処理部１０２と、広告情報出力部１０３と、広告情報取得部１０４と、を備える。
【００１１】
（実施形態１：各部の説明）
「キーワード入力部」１０１は、情報検索のためのキーワードを取得する。「情報検索」とは、キーワードを含む情報、あるいはキーワードに関連する情報を取得することである。例えば、インターネットに公開されているウェブページであって、取得されたキーワードを含むもの、あるいは、取得されたキーワードに関連するもの、を検索することが含まれる。なお、本発明において、キーワードは、計算機によって取得が可能な文字の並びを意味する。
【００１２】
キーワードに関連する情報としては、そのキーワードそのものが含まれている情報や、そのキーワードが含まれていないが、そのキーワードの上位概念や下位概念の単語や類義語、同じ意味であるが表記が異なる単語を含む情報などがある。
【００１３】
「キーワード集計部」１０２は、キーワード入力部１０１に入力されたキーワードを集計処理する。「集計処理」とは、キーワードの出現頻度を数える処理を含む処理である。出現頻度を数える以外の処理としては、統計的な処理を行なったり、多重回帰分析を行ったりする処理などがある。「出現頻度を数える」とは、例えば、キーワード別に入力回数を数えることである。また、単純にキーワード別に入力回数を数えるのではなく、上位概念や下位概念、類似という関係、あるいは、表記上の違いにより、複数のキーワードに、それらを代表するキーワードを対応付けておき、それらのキーワードを代表するキーワードの入力回数を数えるようにしてもよい。
【００１４】
図２は、キーワードの集計処理の一例を示す図である。左の列にキーワードが格納され、右の列にキーワードがキーワード入力部１０１で取得された回数が格納される。
【００１５】
「広告情報出力部」１０３は、広告情報を出力する。「広告情報」とは、広告を表示するための情報である。例えば、広告が文章のみから成る場合には、その文章そのものが広告情報となる。また、広告を表示するための情報が存在する場所を示すリンク情報（例えば、ＵＲＬ（Ｕｎｉｆｏｒｍ　Ｒｅｓｏｕｒｃｅ　Ｌｏｃａｔｏｒ）により表現される情報）を含む情報であってもよい。
【００１６】
「広告情報取得部」１０４は、キーワード集計処理部１０２での集計結果に基づいて広告情報出力部１０３で出力する広告情報を取得し、広告情報出力部１０３に渡す。広告情報の取得は、例えば、広告情報出力装置の外部に要求を出して取得するようにしてもよい。「集計結果」とは、キーワード集計処理部１０２でのキーワードの集計処理の結果である。例えば、集計結果は、どのキーワードがキーワード入力部１０１で何回取得されたかの結果を示す。
【００１７】
「集計結果に基づいて」とは、集計結果と取得される広告情報との間に何らかの関係が存在することを意味している。例えば、広告情報とキーワードを対応付けておき、集計結果のうち、最も多くの回数でキーワード入力部１０１にて取得されたキーワードに対応付けられている広告情報を取得するようになっていてもよい。また、時間を区切って、その区切られた時間に取得されたキーワードの集計結果により広告情報が取得されるようになっていてもよい。あるいは、現在の時刻から所定の時間だけ遡った時間までの間にキーワード入力部１０１で取得されたキーワードの集計結果のうち、上位にランク付けされるキーワードに対応付けられた広告情報が取得されるようになっていてもよい。
【００１８】
図１６は、広告情報が出力されるとき、その出力される広告情報が、出力される時刻から所定の時間だけ遡った時間までの間に取得されたキーワードの集計結果に基づくことを例示している。例えば、時刻Ｔ１において、Ｔ１よりΔＴ１だけ遡った時間までの期間に情報の検索や問合せによって取得されたキーワードの集計結果に基づいて、画面１６０１内の広告情報である広告１が出力される。広告１は、例えば、取得されたキーワードの集合の中から広告主の指定する条件のカテゴリまたはタームに一致または類似するものなどを選び出して、その選び出されたもの中から、一致するものであればその一致する広告を、また類似するものが複数あれば、例えば、統計的な距離において最も近いものを選ぶ。また、広告は一つだけ選ばれるとは限らず、複数の広告が選ばれて出力されてもよい。
【００１９】
また、図１６に示した時刻Ｔ１、Ｔ２、Ｔ３などは、情報の検索や問合せが実際に行なわれた時刻ではなく、広告が切替わり出力可能とされる時刻であってもよい。すなわち、時刻Ｔ２までは、時刻Ｔ１において切替えられた広告１が出力可能とされ、時刻Ｔ２になると、時刻Ｔ２よりΔＴ２だけ遡った時間までの期間における情報の検索や問合せによって取得されたキーワードの集計結果に基づいて広告２が出力可能とされる。
【００２０】
あるいは、時刻Ｔ１で画面１６０１が広告１とともに出力された場合、例えばＨＴＭＬでの＜ＭＥＴＡ　ｈｔｔｐ−ｅｑｕｉｖ＝“ｒｅｆｒｅｓｈ”　ｃｏｎｔｅｎｔ＝６００＞のような再読み込み（リロード）の指定の記述にしたがって（「６００」は６００秒ごとにリロードすることを意味している）、定期的に、あるいは不定期的に情報のリロードが行なわれるようになっていてもよく、そのリロードの再に広告が変化するようになっていてもよい。すなわち、時刻Ｔ１の次のリロードの時間が時刻Ｔ２となり、その時、時刻Ｔ２よりΔＴ２だけ遡った時間までの期間における情報の検索や問合せによって取得されたキーワードの集計結果に基づいて広告２が画面１６０２の中で出力される。また、次のリロードの時間である時刻Ｔ３において、時刻Ｔ３よりΔＴ３だけ遡った時間までの期間における情報の検索や問合せによって取得されたキーワードの集計結果に基づいて広告３が画面１６０３の中で出力されるようになっていてもよい。
【００２１】
（実施形態１：動作（その１））
図３は、本実施形態における広告情報出力装置１００の動作を説明するフローチャートを例示する。
【００２２】
ステップＳ３０１において、キーワードを、キーワード入力部１０１にて、取得する。
【００２３】
ステップＳ３０２において、キーワードを、キーワード集計処理部１０２にて、集計処理する。
【００２４】
ステップＳ３０３において、集計結果に基づいて、広告情報取得部１０３にて、広告情報を取得する。
【００２５】
ステップＳ３０４において、広告情報取得部１０４にて、広告情報を広告情報出力部１０３に渡す。
【００２６】
ステップＳ３０５において、広告情報を、広告情報出力部１０３にて、出力する。
【００２７】
本実施形態の広告情報出力装置１００は、キーワードがキーワード入力部で取得されるごとに、ステップＳ３０１からステップＳ３０５までを実行する。
【００２８】
（実施形態１：動作（その２））
図４から図６は、本実施形態における広告情報出力装置１００の図３に示された動作とは別の動作を説明するフローチャートを例示する。図３においては、キーワードが取得されるごとに出力される広告情報が変動する可能性があるが、図４から図６に示す動作においては、一定の時間の間は、同じ広告情報を出力することができる。
【００２９】
図４は、キーワード入力部１０１とキーワード集計処理部１０２との動作を説明するフローチャートを例示する。
【００３０】
ステップＳ４０１において、キーワードを、キーワード入力部１０１にて、取得する。
【００３１】
ステップＳ４０２において、キーワードを、キーワード集計処理部１０２にて、集計処理する。
【００３２】
ステップＳ４０１とステップＳ４０２とは、キーワード入力部１０１がキーワードを取得できる状態になるたびに実行される。
【００３３】
図５は、広告情報取得部１０４の動作を説明するフローチャートを例示する。
【００３４】
ステップＳ５０１において、集計結果に基づいて広告情報を取得する。
【００３５】
ステップＳ５０２において、広告情報を広告情報出力部１０３に渡す。広告情報が広告情報出力部１０３に渡されると、広告情報が広告情報出力部１０３に記憶されることになっていてもよい。
【００３６】
また、ステップＳ５０１とステップＳ５０２とは、連続して繰り返して、ランダムに得らればれたタイミングに、あらかじめ定められたタイミングに、あるいはあらかじめ定められた条件が成立したタイミングに応じて実行される。そのタイミングとしては、例えば、あらかじめ定められた時間が経過したときや、キーワード集計処理部１０２での集計処理の状況に応じてキーワード集計処理部１０２から実行の命令が送られたときである。例えば、キーワードが取得された回数の順位に変動が生じた場合や、特定のキーワードが取得された回数があらかじめ定められた回数を越えたときなどがある。
【００３７】
図６は、広告情報出力部１０３の動作を説明するフローチャートを例示する。
【００３８】
ステップＳ６０１において、広告情報を出力する。すなわち、図５のステップＳ５０２において、広告情報取得部１０４から渡された広告情報を広告情報出力部１０３にて、出力する。
【００３９】
ステップＳ６０１は、広告情報の出力の要求があったときなどに実行される。
【００４０】
（実施形態１：情報検索システムに組み込んだ例）
図７は、本実施形態の広告情報出力装置１００を情報検索システム７００に組み込んだ例を示す。
【００４１】
情報検索システム７００は、インターネットなどの通信網７０１を介して、端末７０２と接続される。端末７０２には、ブラウザが動作している。「ブラウザ」とは、情報検索システム７００の利用者が情報を閲覧するために使用するプログラムである。情報検索システム７００は、利用者のブラウザに対して情報検索のための画面の情報を出力し、利用者は、その情報に基づいて表示される画面にキーワードを入力して情報検索を行なう。
【００４２】
情報検索のためのキーワードは、ブラウザからキーワード入力部１０１へ渡され、キーワード集計処理部１０２と検索部７０３とに渡される。「検索部」７０３は、渡されたキーワードに従って情報検索を行なう。
【００４３】
検索部７０３により情報検索が行なわれると、検索結果出力部７０４から情報検索の結果が端末７０２で動作するブラウザに対して出力される。この時、広告情報出力部１０３から広告情報も一緒に出力がされる。
【００４４】
なお、上記では、広告情報は、検索結果とともに表示されるとしたが、最初に利用者に示される情報検索を実行するための画面の情報とともに広告情報が出力され、情報検索を実行するための画面と同時に、あるいは、その画面の中に広告情報が表示されるようになっていてもよい。
【００４５】
（実施形態１：効果）
本実施形態によれば、キーワードの集計結果に基づいて広告情報が出力されるので、利用者は、注目を集めている事柄に関する広告を直ちに見ることができる。これにより、例えば、流行の兆しをとらえることができる。
【００４６】
（実施形態２）
本発明の実施形態２においては、広告情報出力装置が広告情報を出力するタイミングを定め、そのタイミングに基づいて集計処理された結果に基づいて広告情報を出力する。例えば、午前と午後とが広告情報を出力するタイミングであれば、午後に出力される広告情報は、その日の午前に集計処理された結果に基づいて（例えば、午前に取得されたキーワードの集計処理の結果に基づいて）取得されて出力される。
【００４７】
（実施形態２：構成）
図８は、本発明の実施形態２における広告情報出力装置の機能ブロック図を例示している。本実施形態において、広告情報出力装置１００は、実施形態１の広告情報出力装置１００の広告情報取得部１０４が広告出力スケジュール手段８０１を備えている。
【００４８】
（実施形態２：広告出力スケジュール手段）
「広告出力スケジュール手段」８０１は、広告情報を出力するタイミングを定める。すなわち、広告情報取得部１０４にて取得された広告情報が広告情報出力部１０３にて出力されるタイミングを定める。ここで言う「タイミング」とは、具体的には、広告情報の出力される時刻、あるいは出力が可能となる時刻である。例えば、「この広告情報は今から２０分後に出力を可能とする」、あるいは、「この広告情報は今日の１６時１０分以降に出力を可能とする」などを意味する記述によりタイミングが指定される。
【００４９】
図９は、このようなタイミングを指定するために、広告情報９００に出力時刻９０１を付加した状態を例示する。広告情報出力部１０３は、広告情報９００を広告情報出力部から渡されると、出力時刻９０１で指定される時刻あるいはその時刻以降に出力が可能となるようにし、その時刻以降に広告情報の要求が行なわれると広告情報を出力する。
【００５０】
（実施形態２：キーワード集計処理部）
本実施形態において、キーワード集計処理部１０２は、キーワード入力部１０１で入力されたキーワードを広告出力スケジュール手段８０１で定められた広告の出力のタイミングに基づいて集計処理をする。すなわち、本実施形態においては、キーワードの集計処理の実行は、広告出力スケジュール手段８０１で定められた広告の出力のタイミングと何らかの関係を持つ。
【００５１】
図１０は、この関係を例示する。表１００１は、広告出力スケジュール手段８０１で定められた広告の出力のタイミングを示す表であり、毎日の０時、６時、８時、１０時、１３時、１５時、１８時、２０時、２２時に広告が出力される。なお、０時に広告が出力されると言っても、例えば０時０分０秒という瞬間にだけ広告が出力されることは意味しておらず、ある程度の時間的長さをもって出力が可能となる。例えば、表１００１においては０時の次に６時が示されているので、０時から６時までは同じ広告が出力可能となるようになっていてもよい。
【００５２】
表１００１に対応して、表１００２は、キーワードを集計処理するタイミングを示す。すなわち、０時に出力可能とされる広告情報を取得するための集計処理は、２２時から０時まで行なわれることを意味し、６時に出力可能とされる広告情報を取得するための集計処理は、０時から６時まで行なわれることを意味する。
【００５３】
（実施形態２：効果）
本実施形態によれば、広告情報の出力のタイミングに基づいてキーワードが集計処理された結果に基づいて広告情報が取得されることになる。したがって、例えば、夕方に出力される広告は、その日の昼過ぎ以降に取得されたキーワードの集計処理に基づいて選択されることができる。このため、例えば、その日の昼のクッキング番組で放送された料理素材のキーワードが多く取得された場合、その料理素材に関連した広告情報が出力されることになる。結果として、突発的に増加したキーワードに対応した広告情報を出力することが可能となる。
【００５４】
（実施形態３）
本発明の実施形態３においては、キーワードと広告情報とを関連付けて蓄積するようにしておき、広告情報取得部は、その蓄積されたキーワードと広告情報との関連付けから広告情報を取得する。
【００５５】
（実施形態３：構成）
図１１は、本実施形態における広告情報出力部の機能ブロック図を例示する。本実施形態における広告情報出力装置１００は、実施形態１における広告情報出力装置が広告情報蓄積部１１０１を備えている。
【００５６】
（実施形態３：広告情報蓄積部）
「広告情報蓄積部」１１０１は、広告情報とキーワードとを関連付けて蓄積する。
【００５７】
図１２は、広告情報とキーワードとを関連付けて蓄積した状態を例示する。例えば、「キーワード１」というキーワードと「広告３７７０」により識別される広告情報とが関連付けられている。なお、同一のキーワードに対して複数の広告情報が関連付けられていてもよいし、また、複数のキーワードに対して同一の広告情報が関連付けられていてもよい。
【００５８】
（実施形態３：広告情報取得部）
本実施形態において、広告情報取得部１０４は、広告情報蓄積部１１０１から広告情報を取得する。すなわち、キーワード集計処理１０２での集計処理の結果に基づいて広告情報を取得するためのキーワードを決定し、そのキーワードに関連付けて蓄積されている広告情報を広告情報蓄積部１１０１から取得する。
【００５９】
例えば、集計処理の結果に基づいて「キーワード３」というキーワードが決定された場合には、図１２の表を走査し、左の列に「キーワード３」が現れる行を探し出し、その行の右の列に格納されている「広告３２１６」により識別される広告情報が取得されるようになる。
【００６０】
図１２の表を走査する場合には、全く同じキーワードを探し出してもよいが、例えば辞書を用意しておき、そのキーワードと類似する文字の並びあるいは類似する意味を持つキーワードを探し出すようにしてもよい。
【００６１】
（実施形態３：効果）
本実施形態によれば、広告情報出力装置が広告情報蓄積部を更に備えることにより、大量の広告情報とキーワードとを関連付けて蓄積することが可能となる。また、広告情報を取得する要求を外部に出力する必要がないので、高速に処理が行なえる。
【００６２】
（実施形態４）
本発明の実施形態４においては、キーワードの集計結果のうち、最も出現頻度の高いキーワード又は最も出現頻度の高いキーワードに類似と類似するキーワードに関連付けられた広告情報が取得され、出力される。
【００６３】
（実施形態４：構成）
本実施形態における広告情報出力装置は、実施形態３の広告情報出力装置の広告情報出力部１０４がキーワード集計処理部１０２での集計結果のうち、最も出現頻度の高いキーワード又は最も出現頻度の高いキーワードと類似するキーワードに関連付けられた広告情報を取得する。
【００６４】
「類似する」とは、表記が似ている（一字違いなど）、称呼が似ている（子音が異なる、あるいは、母音が異なる）、観念が似ているなどの場合を含む。表記が似ている、称呼が似ているかどうかを文字列の操作により判定するアルゴリズムを提供することができるが、観念が似ているかどうかを判定するには、辞書を用いるのが良い。その辞書には、似ている観念の単語を対応付けておき、広告情報蓄積部１１０１より広告情報を取得する際には、その辞書を引いて、キーワードに対応付けられた単語と関連付けて蓄積されている広告情報を取得する。
【００６５】
なお、表記が似ている、あるいは、称呼が似ているかどうかの判定にも、辞書を利用することができる。
【００６６】
（実施形態４：効果）
本実施形態によれば、最も出現頻度の高いキーワード又は最も出現頻度の高いキーワードと類似するキーワードに関連付けられた広告情報が取得されるので、特に注目を集めているキーワードに関連付けられた広告情報が取得され、出力されることになり、広告効果を高めることができる。
【００６７】
（実施形態５）
本発明の実施形態５においては、広告情報出力装置のキーワード入力部がネットワーク上の複数の端末からキーワードを収集する。
【００６８】
（実施形態５：構成）
本実施形態において、実施形態１の広告情報出力装置のキーワード入力部が、ネットワーク上の複数の端末装置が情報検索に利用したキーワードを収集して入力する。
【００６９】
「ネットワーク」には、イントラネットやインターネットを含む。また、「端末装置」とは、図７に例示される端末７０２のようなパーソナルコンピュータのみならず、携帯電話、ＰＤＡ（Ｐｅｒｓｏｎａｌ　Ｄｉｇｉｔａｌ　Ａｓｓｉｓｔａｎｃｅ）なども含む。また、直接利用者が操作するものでなくてもよく、情報検索を行なう情報検索装置であってもよい。
【００７０】
キーワードが端末装置に入力されるごとにキーワード入力部により収集して入力される必要はなく、端末装置に入力されたキーワードが端末装置に蓄積され、ある程度蓄積されたときに、まとめてキーワード入力部により収集されて入力されるようになっていてもよい。
【００７１】
（実施形態５：効果）
本実施形態によれば、複数の端末装置からキーワードが収集されるので、集計処理の範囲を広くすることができ、広く世の中で注目されている事項に関する広告情報を出力することができる。
【００７２】
（実施形態６）
本発明の実施形態６においては、情報検索が行なわれるごとに広告情報が取得される。
【００７３】
（実施形態６：構成）
本実施形態の広告情報出力装置は、実施形態１の広告情報出力装置の広告情報取得部が、情報検索が行なわれるごとに広告情報を取得し、広告情報出力部が出力するようにしたものである。
【００７４】
情報検索は、入力されるキーワードに基づいて行なわれるので、本実施形態においては、キーワードが入力され、情報検索が行なわれるごとに広告情報取得部で広告情報が取得され、その取得された広告情報が広告情報出力部から出力される。
【００７５】
広告情報取得部で取得される広告情報は、ある一定の時間の間において常に同じものであってもよいし、毎回異なるものであってもよい。毎回異なるものである場合には、情報検索が行なわれるたびにキーワード集計処理部での集計処理が行なわれ、その集計の結果に基づいて広告情報が取得されるようになっていてもよいし、いくつかの広告情報の候補が用意されていて、その中から順次あるいはランダムに選択されて取得されるようになっていてもよい。
【００７６】
（実施形態６：効果）
本実施形態によれば、情報検索が行なわれるごとに広告情報が取得されて出力されるので、情報検索の結果が出力されるたびに異なる広告情報が出力されるようにすることができ、利用者に飽きられることなく広告効果を高めることができる。
【００７７】
（実施形態７）
本発明の実施形態７においては、複数の広告情報が取得され、その広告情報を表示するための要素情報（例えばボタン情報）が出力される。
【００７８】
（実施形態７：構成）
図１３は、本実施形態における広告情報出力装置の機能ブロック図を例示する。図１３における広告情報出力装置１００は、実施形態１の広告情報出力装置の広告情報出力部が要素情報出力手段１３０１を更に備えている。
【００７９】
（実施形態７：広告情報取得部）
本実施形態における広告情報取得部１０４は、情報検索が行なわれるごとに広告情報を複数取得する。例えば、キーワードが取得されるたびにキーワード集計処理部１０２での集計処理がされ、その結果に基づき、取得回数が多いものから順に上位１０個のキーワードに基づいて複数の広告情報を取得する。
【００８０】
（実施形態７：要素情報出力手段）
「要素情報出力手段」１３０１は、要素情報を出力するための手段である。「要素情報」とは、出力操作要素を表示するための情報である。「出力操作要素」とは、広告情報取得部１０４が取得した複数の広告情報の出力を広告情報出力装置１００の利用者に促すための表示のための要素である。その要素を操作することにより広告情報の表示が行なわれる。そのような要素の例としては、リンクの表示や、アイコンやボタンがある。リンク、アイコンやボタンなどをクリックすることにより、広告情報が表示されるようになる。
【００８１】
図１４は、要素の一つであるボタンの表示をＨＴＭＬ（Ｈｙｐｅｒ　ＴｅｘｔＭａｒｋ−ｕｐ　Ｌａｎｇｕａｇｅ）で記述した例であり、これにより、図１５に示すような「×××の広告を見る」と書かれたボタンが表示されるようになる。このボタンを押すと、ｈｔｔｐ：／／ｗｗｗ．ｃｄ．ｊｐ／１２３．ｃｇｉというＵＲＬで示される広告情報が表示されることになる。
【００８２】
（実施形態７：効果）
本実施形態によれば、要素を操作することにより広告情報が表示されることになるので、広告情報出力装置の利用者が広告情報を見たかどうかを知ることができる。また、ＨＴＴＰプロトコルが用いられる場合には、検索結果に例えばボタンを表示することにより、ＨＴＴＰ＿ＲＥＦＥＲという変数を参照して、どのような情報検索の結果から広告情報が参照されているかを知ることができるようになり、より効果的な広告情報の出力について検討することができるようになる。
【００８３】
（実施形態８）
本発明の実施形態８は、実施形態７において、出現頻度の高い上位から複数のキーワードを選択し、このキーワードに基づいて広告情報が取得されるようにしたものである。
【００８４】
（実施形態８：構成）
本実施形態の広告情報取得装置は、実施形態７の広告情報取得装置において広告情報取得部が、キーワード集計処理部で集計されたキーワードのうち、出現頻度順にキーワードのリストを作り前記リストの出現頻度の高い方から順にキーワードを選択し、選択された複数のキーワードに基づいて複数の広告情報を取得するようにしたものである。
【００８５】
例えば、広告情報取得部は、キーワードを出現頻度の降順に並べ替えを行なう。その並べ替えの結果として得られるリストの最初の部分に現れるキーワード、すなわち、出現頻度の高い上位のキーワードの選択を行ない、それらの選択されたキーワードに基づいて複数の広告情報を取得する。キーワードを一つ選択し、その選択されたキーワードに基づいて複数の広告情報を取得するようにしてもよいし、キーワードを複数選択して、選択された複数のキーワードに基づいて複数の広告情報を取得するようにしてもよい。広告情報を取得する際には、出現頻度の高いキーワードに関係する広告情報ほど取得される傾向が強くなるようにしてもよい。また、選択されるキーワードの個数は一定ではなく、時間によって、また、キーワードの出現頻度によって変更されるようになっていてもよい。例えば、その出現頻度を足して１００，０００になる上位のキーワードを選択するようにしてもよい。
【００８６】
（実施形態８：効果）
本実施形態によれば、出現頻度の高い広告情報に基づいて広告情報が取得されるので、世の中で注目を集めているキーワードに関係する広告情報が出力されるので、広告効果を高くすることができる。
【００８７】
（実施形態９）
本発明の実施形態９は、広告情報出力方法である。本実施形態における広告情報出力方法は、キーワード入力ステップと、キーワード集計処理ステップと、広告情報出力ステップと、広告情報取得ステップと、を含む。
【００８８】
「キーワード入力ステップ」は、情報検索のためのキーワードを取得するステップである。
【００８９】
「キーワード集計処理ステップ」は、キーワード入力ステップにて入力されたキーワードを集計処理するステップである。
【００９０】
「広告情報出力ステップ」は、広告情報を出力するためのステップである。
【００９１】
「広告情報取得ステップ」は、キーワード集計処理ステップでの集計結果に基づいて広告情報出力ステップにて出力する広告情報を取得するステップである。
【００９２】
したがって、本実施形態における広告情報出力方法は、例えば、実施形態１における広告情報出力装置にて用いられる方法であると言える。
【００９３】
【発明の効果】
以上のように本発明によれば、情報検索のために入力されたキーワードの集計処理の結果に基づいて広告を情報検索時に知ることが可能となり、例えば、注目を集めている事柄に関する広告を見ることができるようになる。
【図面の簡単な説明】
【図１】実施形態１における広告情報出力装置の機能ブロック図
【図２】キーワードの集計処理の一例図
【図３】実施形態１における広告情報出力装置の動作を説明するフローチャート
【図４】実施形態１における広告情報出力装置の動作を説明するフローチャート
【図５】実施形態１における広告情報出力装置の動作を説明するフローチャート
【図６】実施形態１における広告情報出力装置の動作を説明するフローチャート
【図７】実施形態１の広告情報出力装置を情報検索システムに組み込んだ機能ブロック図
【図８】実施形態２における広告情報出力装置の機能ブロック図
【図９】広告情報に出力事項を付加した状態を示す図
【図１０】広告情報の出力のタイミングとキーワードの集計処理の関係を示す一例図
【図１１】実施形態３における広告情報出力装置の機能ブロック図
【図１２】キーワードと広告情報とが関連付けて蓄積されている一例図
【図１３】実施形態７における広告情報出力装置の機能ブロック図
【図１４】ボタン情報をＨＴＭＬで記述した一例図
【図１５】ボタンが表示された一例図
【図１６】それぞれの時刻に出力される広告情報が、その時刻より所定の時間遡った時間からの集計結果に基づくことを示す図
【符号の説明】
１００　広告情報出力装置
１０１　キーワード入力部
１０２　キーワード集計処理部
１０３　広告情報出力部
１０４　広告情報取得部
【図１】
2004013417.tif 000003
【図２】
2004013417.tif 000004
【図３】
2004013417.tif 000005
【図４】
2004013417.tif 000006
【図５】
2004013417.tif 000007
【図６】
2004013417.tif 000008
【図７】
2004013417.tif 000009
【図８】
2004013417.tif 000010
【図９】
2004013417.tif 000011
【図１０】
2004013417.tif 000012
【図１１】
2004013417.tif 000013
【図１２】
2004013417.tif 000014
【図１３】
2004013417.tif 000015
【図１４】
2004013417.tif 000016
【図１５】
2004013417.tif 000017
【図１６】
2004013417.tif 000018